(57)【要約】【課題】衛生的で簡単に手形を取ることのできる乳幼児の手形コピー用台紙及び乳幼児の手形複写方法を提供する。【解決手段】乳幼児の手形コピー用台紙は、乳幼児の手形をコピー機３０で取るためのコピー用台紙であって、全体をシート状の保護シート１としており、この保護シート１に不透明領域２と透明領域３とを設けて、保護シート１をコピー機３０の読み取り面となるガラス面３１に載置した状態で、保護シート１の透明領域３上に乳幼児の手４０を置いて、手形４１のコピーを取るようにしている。【選択図】図１
2016221908.tif 000002
【特許請求の範囲】
【請求項１】
乳幼児の手形をコピー機で取るためのコピー用台紙であって、
全体をシート状の保護シートとしており、
前記保護シートに、透明領域と不透明領域とを有し、
該保護シートをコピー機の複写対象物を置くガラス面に載置した状態で、該保護シートの前記透明領域上に乳幼児の手を置いて、手形のコピーを取るようにしてなる乳幼児の手形コピー用台紙。
【請求項２】
請求項１に記載の乳幼児の手形コピー用台紙であって、
前記透明領域が、前記不透明領域で囲まれてなる乳幼児の手形コピー用台紙。
【請求項３】
請求項１又は２に記載の乳幼児の手形コピー用台紙であって、
前記透明領域が、円形に形成されてなる乳幼児の手形コピー用台紙。
【請求項４】
請求項２又は３に記載の乳幼児の手形コピー用台紙であって、
前記保護シートが矩形状であり、
前記透明領域が、前記保護シートの対向する２辺の中間に位置する中心線からオフセットされた位置に設けられてなる乳幼児の手形コピー用台紙。
【請求項５】
請求項２又は３に記載の乳幼児の手形コピー用台紙であって、
前記保護シートが矩形状であり、
前記透明領域が、その中心を、前記保護シートの対向する２辺の中間に位置する中心線上に一致させて配置されてなる乳幼児の手形コピー用台紙。
【請求項６】
請求項１から５のいずれか一に記載の乳幼児の手形コピー用台紙であって、
前記保護シートが不透明な紙製シートであって、その一部をくり抜いて開口窓を開口しており、
前記開口窓に透明シートを貼付して、前記透明領域が形成されてなる乳幼児の手形コピー用台紙。
【請求項７】
請求項６に記載の乳幼児の手形コピー用台紙であって、
前記保護シートが、２枚の紙製シートを積層しており、互いに積層される前記２枚の紙製シートは、対向位置に前記開口窓を開口すると共に、該２枚の紙製シートの間に前記開口窓よりも大きな前記透明シートを配置して、該２枚の紙製シートが互いに貼付されてなる乳幼児の手形コピー用台紙。
【請求項８】
請求項６に記載の乳幼児の手形コピー用台紙であって、
前記保護シートが、２つ折りされた１枚の紙製シートで、前記紙製シートは、互いに積層される２面の対向位置に前記開口窓を開口すると共に、前記２面の間に前記開口窓よりも大きな前記透明シートを配置して互いに貼付されてなる乳幼児の手形コピー用台紙。
【請求項９】
請求項１に記載の乳幼児の手形コピー用台紙であって、
前記保護シートが、前記透明領域と前記不透明領域とに分割されてなる乳幼児の手形コピー用台紙。
【請求項１０】
請求項１から５、及び９の内いずれか一に記載の乳幼児の手形コピー用台紙であって、
前記保護シートが透明な樹脂製シートであって、
前記樹脂製シートが、部分的に着色されて前記不透明領域が形成されてなる乳幼児の手形コピー用台紙。
【請求項１１】
請求項１から５、及び９の内いずれか一に記載の乳幼児の手形コピー用台紙であって、
前記保護シートが透明な樹脂製シートであって、
前記樹脂製シートが、表側面または裏側面に不透明シートが貼付されて前記不透明領域が形成されてなる乳幼児の手形コピー用台紙。
【請求項１２】
請求項１から５、及び９の内いずれか一に記載の乳幼児の手形コピー用台紙であって、
前記保護シートが、２つ折りされた１枚の透明な樹脂製シートで、前記樹脂製シートは、互いに積層される２面の間に不透明シートを介在させた状態で熱シールされて、該樹脂製シートの内部に前記不透明シートを配置して前記不透明領域が形成されてなる乳幼児の手形コピー用台紙。
【請求項１３】
請求項１から１２のいずれか一に記載の乳幼児の手形コピー用台紙であって、
前記不透明領域の表側面に、氏名、誕生日、記録日、年齢の少なくともいずれかを記入する記入欄が一ないし複数設けられてなる乳幼児の手形コピー用台紙。
【請求項１４】
請求項１から１３のいずれか一に記載の乳幼児の手形コピー用台紙であって、
前記不透明領域の表側面に、寸法を付したメジャー表記が表示されてなる乳幼児の手形コピー用台紙。
【請求項１５】
請求項１から１４のいずれか一に記載の乳幼児の手形コピー用台紙であって、
前記保護シートが、Ａ４サイズ又はレターサイズである乳幼児の手形コピー用台紙。
【請求項１６】
乳幼児の手形をコピー機で取る方法であって、
コピー機の読み取り面であるガラス面に、透明領域と不透明領域を有する保護シートをセットする工程と、
前記保護シートの前記透明領域上に、乳幼児の手を置く工程と、
コピー機を動作させて手形をコピーする工程と
を含む乳幼児の手形複写方法。
【発明の詳細な説明】
【技術分野】
【０００１】
本発明は、乳幼児の手形をコピー機で取得するために用いるコピー用台紙及び乳幼児の手形複写方法に関する。
なお、本明細書において、コピーとは、読み取り面に載置される対象物を複写して印刷する機能だけでなく、対象物の画像をデータとして読み取る機能も含む広い意味で使用する。したがって、本明細書において、コピー機とはスキャナーを含む広い意味で使用する。
【背景技術】
【０００２】
乳児や幼児の成長の記念として、手形を取ることが行われている。従来は、例えば、新生児の手に専用のインクを塗布し、このインクに反応する感熱紙等の用紙に手を当てて手形を取ったり、乳児の手に墨やスタンプ用のインキを塗布して、色紙に手を押し当てる魚拓のようなスタイルで手形を残すことが一般的であった。
【０００３】
しかしながら、これらの方法では、乳幼児や作業者の手が汚れるため、衛生的でないという問題があった。特に、インキのような有機物は体内に摂取すると有害なことがあるところ、乳幼児が手を舐める虞があり、健康上の懸念があった。また、用紙や色紙に手を置く際にずれたり、手を動かすなどして、失敗することがあり、この場合は新たにやり直す必要があった。
【０００４】
そこで、コピー機に手を置いて手形を取ることが考えられるものの、この方法では、コピー機の読み取り用のガラス面に手を置く際に、ガラス面が汚れるという問題があった。コピー時に、手の脂や指紋がガラス面に付着すると、コピーを取った後に拭き取る必要があり、この作業は面倒であった。また、コピー機のガラス面自体が元々衛生的でないことも考えられ、手を置く際に、乳幼児の手に、雑菌などが付着するという衛生上の懸念もあった。
【先行技術文献】
【特許文献】
【０００５】
【特許文献１】特開平５−１８５７２９号公報
【発明の概要】
【発明が解決しようとする課題】
【０００６】
本発明は、従来のこのような問題点を解消するためになされたものである。本発明の目的の一は、衛生的で簡単に手形を取ることのできる乳幼児の手形コピー用台紙及び乳幼児の手形複写方法を提供することにある。
【課題を解決するための手段及び発明の効果】
【０００７】
上記の目的を達成するために、本発明の乳幼児の手形コピー用台紙によれば、乳幼児の手形をコピー機３０で取るためのコピー用台紙であって、全体をシート状の保護シート１としており、この保護シート１に不透明領域２と透明領域３とを設けて、保護シート１をコピー機３０の読み取り面となるガラス面３１に載置した状態で、保護シート１の透明領域３上に乳幼児の手４０を置いて、手形４１のコピーを取るようにしている。
【０００８】
上記構成によれば、乳幼児の手形を簡単かつ容易に、しかも衛生的に取ることが可能となる。すなわち、従来のようなインクや墨を使用することなく、コンビニなどに設置されたコピー機を利用して、簡便かつ迅速に手形を取ることができる。また、コピー機のガラス面に直接手を置かないため、ガラス面が手垢や油脂で汚れることもなく、また、ガラス面のゴミや雑菌等が手に付着することもなく、衛生的である。また、失敗しても、容易に取り直しできるので、専用のインクや墨で色紙上に手形を取る方法に比べて、はるかに簡単かつ安価に手形を得ることが可能となる。さらに、用紙に印刷された手形は、色紙などに比べて容易に保管できる。
【０００９】
本発明の乳幼児の手形コピー用台紙は、透明領域３が、不透明領域２で囲まれた構成とすることができる。
上記構成により、周囲が不透明領域で囲まれた透明領域、言い換えると、不透明領域の内側に形成される透明領域に手を置いてコピーするので、手形が複写された用紙においては、透明領域と対応する部分にのみ手形が部分的に印刷されて手形部分を明確にしながら、その他の領域については、手形が印刷されない領域として有効に利用できる。
【００１０】
本発明の乳幼児の手形コピー用台紙は、透明領域３を円形に形成することができる。
上記構成により、透明領域を円形とすることで、指を広げた状態の掌を透明領域の内側に理想的に配置しながら複写できる。
【００１１】
本発明の乳幼児の手形コピー用台紙は、保護シート１を矩形状として、透明領域３を、保護シート１の対向する２辺の中間に位置する中心線ｍからオフセットされた位置に設けることができる。
上記構成により、矩形状の保護シートの一方の側縁部に余白をもたせ、ファイリングに便利なパンチ穴を形成することが容易となる。
【００１２】
本発明の乳幼児の手形コピー用台紙は、保護シート１を矩形状として、透明領域３の中心を、保護シート１の対向する２辺の中間に位置する中心線ｍ上に一致させて配置することができる。
上記構成により、透明領域の中心を、矩形状の保護シートの中心線上に一致させて配置するので、透明領域を保護シートの中心線に沿ってバランス良く配置して外観を美しくできる。
【００１３】
本発明の乳幼児の手形コピー用台紙は、保護シート１を不透明な紙製シート４として、その一部をくり抜いて開口窓５を開口し、開口窓５に透明シート６を貼付して、透明領域３を形成することができる。
上記構成により、保護シートを不透明な紙製シートとすることで、不透明領域を簡単に形成しつつ、製造コストを低減して安価に多量生産しながら、しかも全体を軽量にできる。また、紙製シートに開口した開口窓に透明シートを貼付することで透明領域を簡単に、しかも安価に形成することができる。さらに、紙製シートからなる保護シートは、その製造工程において、紙製の用紙に印刷できる一般的なプリンターを使用して簡単に文字や数字、記号、図形等を印刷でき、また、使用状態においては、水性ペンや鉛筆等の簡易な筆記具を使用して、容易に文字等を書くことができる。
【００１４】
本発明の乳幼児の手形コピー用台紙は、保護シート１が２枚の紙製シート４を積層することができ、積層される２枚の紙製シート４は、対向位置に開口窓５を開口すると共に、２枚の紙製シート４の間に開口窓５よりも大きな透明シート６を配置して、２枚の紙製シート４を互いに貼付することができる。
上記構成により、保護シートを２枚の紙製シートで構成し、互いに積層される２枚の紙製シートの対向位置に開口窓を開口し、２枚の紙製シートの間には開口窓よりも大きな透明シートを貼付するので、開口窓を確実に閉塞しながら、開口窓の外側にはみ出す透明シートを両面に積層される紙製シートで被覆して綺麗な外観にできる。とくに、２枚の紙製シートの間に貼付される透明シートを開口窓よりも大きくすることで、交差を大きくとることができ、製造を容易にできる。また、保護シートを２枚の紙製シートで構成するので、表側に積層される紙製シートと、裏側に積層される紙製シートの材質や厚さを種々に変更して、より優れた外観と特性を実現できる。
【００１５】
本発明の乳幼児の手形コピー用台紙は、保護シート１を２つ折りされた１枚の紙製シート４として、紙製シート４が、互いに積層される２面の対向位置に開口窓５を開口すると共に、積層される２面の間に開口窓５よりも大きな透明シート６を配置して、積層される２面を互いに貼付することができる。
上記構成により、保護シートを２つ折りされた１枚の紙製シートとして、互いに積層される２面の対向位置に開口窓を開口し、２面の間には開口窓よりも大きな透明シートを貼付するので、開口窓を確実に閉塞しながら、開口窓の外側にはみ出す透明シートを２つ折りして積層される２面で被覆して綺麗な外観にできる。とくに、積層される２面の間に貼付される透明シートを開口窓よりも大きくすることで、交差を大きくとることができ、製造を容易にできる。また、１枚の紙製シートを２つ折りするので、互いに積層される面同士を位置ずれすることなく、正確な位置で積層できる。
【００１６】
本発明の乳幼児の手形コピー用台紙は、保護シート１を、透明領域３と不透明領域２とに分割することができる。
上記構成により、保護シートを分割して透明領域と不透明領域とを形成するので、透明領域を広くして、大きな手形や複数の手形であっても確実に取ることができる。
【００１７】
本発明の乳幼児の手形コピー用台紙は、保護シート１を透明な樹脂製シート７として、この樹脂製シート７に部分的に着色して不透明領域３を形成することができる。
上記構成により、保護シートを透明な樹脂製シートとして、この樹脂製シートに部分的に着色することで、不透明領域を簡単に形成できる。この手形コピー用台紙は、透明な樹脂製シートを着色して不透明領域を形成するので、複数の部材を糊付けして貼着する手間や接着剤を必要とせず、簡単に、しかも安価に製造できる。また、この手形コピー用台紙は、保護シート全体を樹脂製シートで構成するので、使用する前後において、保護シートの両面をアルコール消毒して、安全且つ清潔に使用することができる。
【００１８】
本発明の乳幼児の手形コピー用台紙は、保護シート１を透明な樹脂製シート７として、この樹脂製シート７の表側面１Ｘまたは裏側面１Ｙに不透明シート８を貼付して不透明領域２を形成することができる。
上記構成により、保護シートを透明な樹脂製シートとして、この樹脂製シートの表側面または裏側面に不透明シートを貼付して不透明領域を簡単に形成できる。とくに、樹脂製シートの表側面に不透明シートを貼付する構造は、複写面となる不透明シートの表側面を露出面とするので、不透明シートの貼付後においても、水性ペンや鉛筆等の簡易な筆記具を使用して表側面に記載することができる。また、樹脂製シートの裏側面に不透明シートを貼付する構造は、不透明シートの表側面を不透明シートで被覆するので、貼付前に不透明シートの表側面に印刷された内容を樹脂製シートで保護できる。
【００１９】
本発明の乳幼児の手形コピー用台紙は、保護シート１を２つ折りされた１枚の樹脂製シート７として、この樹脂製シート７の積層される２面の間に不透明シート８を介在させた状態で熱シールして、樹脂製シート７の内部に不透明シート８を配置して不透明領域２を形成することができる。
上記構成により、保護シートを２つ折りされた１枚の透明な樹脂製シートとし、互いに積層される２面の間に不透明シートを介在させた状態で熱シールして、樹脂製シートの内部に不透明シートを配置して不透明領域を形成するので、不透明シートの材質に関わらず、不透明シートの両面を樹脂製シートで被覆して、優れた耐水性を実現できる。この保護シートは、表側面や裏側面が汗や脂で汚れても、付着した汚れを簡単に拭き取って綺麗にできる。また、使用する前後において、保護シートの両面をアルコール消毒して、安全且つ清潔に使用することができる。
【００２０】
本発明の乳幼児の手形コピー用台紙は、不透明領域２の表側面１Ｘに、氏名、誕生日、記録日、年齢の少なくともいずれかを記入する記入欄１１を、一ないし複数設けることができる。
上記構成により、手形が複写された用紙に、乳幼児の氏名や誕生日、複写した日や年齢などを記入して、管理しやすくできる。
【００２１】
本発明の乳幼児の手形コピー用台紙は、不透明領域２の表側面１Ｘに、寸法を付したメジャー表記１２を表示することができる。
上記構成により、複写された手形の寸法を、用紙に複写されたメジャー表記の目盛りを参考にして測定できる。
【００２２】
本発明の乳幼児の手形コピー用台紙は、保護シート１を、Ａ４サイズ又はレターサイズとすることができる。
上記構成により、保護シートのサイズを、一般のコピー機で複写が容易なＡ４サイズ又はレターサイズの大きさとして、運搬や管理の面で有利となる。
【００２３】
本発明の乳幼児の手形複写方法は、乳幼児の手形４１をコピー機３０で取る方法であって、コピー機３０の読み取り面であるガラス面３１に、透明領域３と不透明領域２を有する保護シート１をセットする工程と、保護シート１の透明領域３上に、乳幼児の手４０を置く工程と、コピー機３０を動作させて手形４１をコピーする工程とを含んでいる。
【００２４】
これにより、乳幼児の手形を容易に、かつ衛生的に取ることが可能となる。すなわち、従来のようなインクや墨を使用することなく、コンビニなどに設置されたコピー機を利用して、簡便かつ迅速に手形を取ることができる。また、コピー機のガラス面に直接手を置かないため、ガラス面が手垢や油脂で汚れることもなく、また、ガラス面のゴミや雑菌等が手に付着することもなく、衛生的である。また失敗しても、容易にやり直しできるので、墨で色紙上に手形を取る方法に比べて遙かに簡単且つ安価に手形を得ることが可能となる。
【図面の簡単な説明】
【００２５】
【図１】本発明の実施形態１に係る乳幼児の手形コピー用台紙の斜視図である。
【図２】図１に示す乳幼児の手形コピー用台紙を上下反転した分解斜視図である。
【図３】図１に示す乳幼児の手形コピー用台紙の平面図である。
【図４】図１に示す手形乳幼児のコピー用台紙の一部拡大Ｖ−Ｖ線断面図である。
【図５】本発明の一実施形態にかかる乳幼児の手形コピー用台紙を使用して乳幼児の手形をコピー機で複写する状態を示す斜視図である。
【図６】図１に示す乳幼児の手形コピー用台紙を使用して複写された手形シートの一例を示す平面図である。
【図７】本発明の実施形態２に係る乳幼児の手形コピー用台紙の展開斜視図である。
【図８】本発明の実施形態３に係る乳幼児の手形コピー用台紙を上下反転した斜視図である。
【図９】本発明の実施形態４に係る乳幼児の手形コピー用台紙を示す斜視図である。
【図１０】図９に示す乳幼児の手形コピー用台紙の展開斜視図である。
【図１１】本発明の実施形態５に係る乳幼児の手形コピー用台紙の分解斜視図である。
【図１２】本発明の実施形態６に係る乳幼児の手形コピー用台紙の斜視図である。
【図１３】図１２に示す乳幼児の手形コピー用台紙を使用して複写された手形シートの一例を示す平面図である。
【発明を実施するための形態】
【００２６】
以下、本発明の実施の形態を図面に基づいて説明する。ただし、以下に示す実施の形態は、本発明の技術思想を具体化するための、乳幼児手形コピー用台紙及び乳幼児の手形複写方法を例示するものであって、本発明は、乳幼児手形コピー用台紙及び乳幼児の手形複写方法を以下のものと方法に特定しない。さらに、本明細書は、特許請求の範囲に示される部材を、実施例の部材に特定するものでは決してない。特に実施例に記載されている構成部品の寸法、材質、形状、その相対的配置等は特に特定的な記載がない限りは、本発明の範囲をそれのみに限定する趣旨ではなく、単なる説明例にすぎない。
【００２７】
なお、各図面が示す部材の大きさや位置関係等は、説明を明確にするため誇張していることがある。さらに、以下の説明において、同一の名称、符号については同一もしくは同質の部材を示しており、詳細説明を適宜省略する。さらに、本発明を構成する各要素は、複数の要素を同一の部材で構成して一の部材で複数の要素を兼用する態様としてもよいし、逆に一の部材の機能を複数の部材で分担して実現することもできる。また、一部の実施例、実施形態において説明された内容は、他の実施例、実施形態等に利用可能なものもある。
【００２８】
図１〜図４に、本発明の実施形態１に係る乳幼児の手形コピー用台紙を示している。これらの図において、図１は乳幼児の手形コピー用台紙の斜視図、図２は手形コピー用台紙を上下反転した分解斜視図、図３は手形コピー用台紙の平面図、図４は手形コピー用台紙の一部拡大断面図をそれぞれ示している。さらに、図５は図１の手形コピー用台紙を使用して乳幼児の手形をコピー機で複写する状態を示す斜視図を、図６は図１に示す手形コピー用台紙で複写された手形シートの一例を示している。さらに、図７は実施形態２に係る手形コピー用台紙の展開斜視図を、図８は実施形態３に係る手形コピー用台紙を上下反転した斜視図を、図９及び図１０は実施形態４に係る手形コピー用台紙を示す斜視図と展開斜視図を、図１１は実施形態５に係る手形コピー用台紙の分解斜視図を、図１２は実施形態６に係る手形コピー用台紙の斜視図を、さらに、図１３は図１２に示す手形コピー用台紙を使用して複写された手形シートの一例をそれぞれ示している。
【００２９】
これらの図に示す乳幼児の手形コピー用台紙１００は、乳幼児の手形をコピー機３０で取るための台紙であって、全体をシート状の保護シート１で構成しており、この保護シート１には不透明領域２と透明領域３とを設けている。この手形コピー用台紙１００は、図５に示すように、コピー機３０の読み取り面であるガラス面３１に載置した状態で、保護シート１の透明領域３上に乳幼児の手４０を置いてコピー機３０をスタートすることにより、透明領域３を透過する光で手の形を読み取って手形のコピーを取るように構成している。
【００３０】
保護シート１は、外形を矩形状とすることができる。矩形状の保護シート１は、外形をＡ４サイズとし、あるいはレターサイズとして、一般的に汎用されるサイズとすることができる。ただ、保護シート１は、目的や用途に応じて、これ等のサイズよりも大きくすることも、小さくすることもできる。
【００３１】
保護シート１は、不透明領域２と透明領域３とを有しており、少なくとも透明領域３は、乳幼児が手４０を置く際に、コピー機３０の読み取り面であるガラス面３１に直接手が触れることのないように、ガラス面３１と乳幼児の手４０との間に介在される透明なシート状の部材で構成されている。透明領域３は、複写の対象物となる乳幼児の手４０を置くことができる大きさを有すると共に、ここを透過する光によって、乳幼児の手４０の映像を読み取って複写できるような透光性を有している。したがって、透明領域３は、無色透明なシート材で構成されることが好ましい。ただ、透明領域は、複写の対象物となる手の映像を読み取りできる程度に着色された透明シートとすることもできる。
【００３２】
保護シート１は、このような透明領域３を設けるために、全体を不透明なシート材で構成すると共に、部分的に透光部を設けて透明領域３を形成し、透明領域３以外の領域を不透明領域２とすることができる。また、保護シート１は、全体を透明なシート材で構成すると共に、部分的に非透光部を設けて不透明領域２を形成し、不透明領域２以外の領域を透光性のある透明領域３とすることができる。
【００３３】
保護シート１に形成される透明領域３は、不透明領域２で囲まれた形状とすることができる。この保護シート１は、不透明領域２の内側に形成される透明領域３に手を置いてコピーするので、図６に示すように、手形４１が複写された手形シート２０においては、透明領域３と対応する手形表示部２５に手形４１が印刷されて、プリントされた手形４１の部分を明確にしながら、その他の領域については、手形が印刷されない領域として有効に利用できる。不透明領域２の内側に形成される透明領域３は、円形とすることができる。円形の透明領域３は、指を広げた状態の掌を理想的に配置して複写できる。ただ、不透明領域２の内側に形成される透明領域３は、矩形状や多角形状とすることも、楕円形や長円形とすることもできる。
【００３４】
さらに、不透明領域２の内側に形成される透明領域３は、図３に示すように、外形を矩形状とする保護シート１の対向する２辺の中間に位置する中心線ｍからオフセットされた位置に設けることができる。図に示す保護シート１は、左右の２辺の中間に位置する中心線ｍからオフセットされた位置に円形の透明領域３を設けている。この手形コピー用台紙を使用して印刷された手形シート２０は、図６に示すように、一方の側縁部に余白２６をもたせ、この余白にパンチ穴２４を形成することができ、便利にファイリングすることができる。ここで、図１及び図３に示す保護シート１は、余白２６が形成される側の側縁部の上下の中心位置にセンターマーク１３を設けている。このため、手形４１が印刷された手形シート２０は、余白２６となる側縁部に印刷されたセンターマーク２３を目印として、正確な位置にパンチ穴２４を設けることができる。
【００３５】
ただ、保護シート１は、図８に示すように、外形を矩形状とする保護シート１の対向する２辺の中間に位置する中心線ｍ上に、透明領域３の中心を一致させて配置することもできる。この保護シート１は、透明領域３を中心線ｍに沿ってバランス良く配置できる。
【００３６】
また、保護シート１は、図１２に示すように、透明領域３と不透明領域２とに分割することもできる。この保護シート１は、透明領域３を有効に広くすることができるので、図１３に示すように、大きな手形や複数の手形４１であっても確実にコピーすることができる。
【００３７】
さらに、保護シート１は、不透明領域２の表側面１Ｘに、氏名、誕生日、記録日、年齢等を記入する記入欄１１を設けることができる。図３に示す保護シート１は、中央部に形成された円形の透明領域３の上側に、氏名や誕生日を記入する記入欄１１を２列に設けて、透明領域３の下側には、記録日や年齢を記入する記入欄１１を１列に設けている。この手形コピー用台紙を使用して印刷された手形シート２０は、図６及び図１３に示すように、手形４１が複写された用紙に、記入欄２１を印刷して、乳幼児の氏名や誕生日、複写した日や年齢などを記入して、管理しやすくできる。
【００３８】
さらにまた、保護シート１は、不透明領域２の表側面１Ｘに、寸法を付したメジャー表記１２を表示することができる。図３に示す保護シート１は、中央部に形成された円形の透明領域３の下側であって、透明領域３に接近して寸法を付したメジャー表記１２を表示している。この手形コピー用台紙は、図６及び図１３に示すように、手形シート２０に複写された手形４１の寸法を、手形シート２０に複写されたメジャー表記２２の目盛りを参考にして測定できる。
【００３９】
さらに、保護シート１は、図２に示すように、裏側面１Ｙに表示部１４を設けて、この表示部１４に、コピー機３０で複写するときの手順や注意事項を記載することもできる。この表示部１４は、例えば、用紙設定や濃度設定等の調整の詳細を記載することができる。この手形コピー用台紙は、図５に示すように、コピー機３０にセットした状態で、裏側面１Ｙに記載された表示部１４の内容を見ながらコピー機の設定を調整できる。この手形コピー用台紙は、複写面ではなく裏側面１Ｙに表示部１４を設けているので、複写された手形シート２０に、表示部１４の内容がコピーされることはない。
【００４０】
以下、本発明の手形コピー用台紙の各実施形態について詳述する。
（実施形態１）
図１〜図４に示す手形コピー用台紙１００は、保護シート１を不透明な紙製シート４としている。紙製シート４で構成される保護シート１は、その一部をくり抜いて開口窓５を開口しており、この開口窓５に透明シート６を貼付して透明領域３を形成し、開口窓５が開口されない領域を不透明領域２としている。図３に示す紙製シート４は、矩形状のほぼ中央部であって、左右の２辺の中間に位置する中心線ｍからオフセットされた位置に円形の開口窓５を開口している。
【００４１】
この保護シート１は、図２に示すように、２枚の紙製シート４を互いに積層して貼付している。図に示す保護シート１は、複写面となる表側面１Ｘに配置される第１の紙製シート４Ａと、複写面の反対側面となる裏側面１Ｙに配置される第２の紙製シート４Ｂを互いに積層してなる構造としている。第１の紙製シート４Ａと第２の紙製シート４Ｂは、外形の等しい矩形状としており、互いに対向する位置に開口窓５を開口している。保護シート１は、図２に示すように、２枚の紙製シート４の間に開口窓５よりも大きな透明シート６を配置して貼付している。
【００４２】
透明シート６は、透光性を有する樹脂製のシート材で、好ましくは、無色透明の樹脂シートとしている。この透明シートは、表面に手を置く状態で光を透過して、手の画像を理想的に読み取りできる。図の透明シート６は、開口窓５よりも大きな外形としており、その外周部を開口窓５の開口縁部に貼付して紙製シート４の定位置に固定している。この透明シート６は、開口窓５よりも大きな外形とすることで、紙製シート４に開口された開口窓を確実に閉塞しながら、交差を大きくすることで貼付作業を容易にしている。
【００４３】
以上のように、保護シート１を２枚の紙製シート４で構成する構造は、表側面１Ｘに積層される第１の紙製シート４Ａと、裏側面１Ｙに積層される第２の紙製シート４Ｂの材質や厚さを種々に変更できる。図に示す保護シート１は、第１の紙製シート４Ａを厚くて丈夫な厚紙とすると共に、この厚紙の表側面を平滑な面としている。これにより、保護シート１の表側面の外観を綺麗にできる。また、第２の紙製シート４Ｂは、第１の紙製シート４Ａよりも薄い紙を使用することができる。また、第２の紙製シート４Ｂの裏側面は、転写面とはならないので、必ずしも平滑な面とする必要はなく、これによりコストを低減できる。
【００４４】
（実施形態２）
図７に示す手形コピー用台紙２００は、保護シート１を、２つ折りされた１枚の紙製シート４としている。図の紙製シート４は、保護シート１を左右に展開してなる外形であって、保護シート１の外形のおよそ２倍の外形を有している。この紙製シート４は、中間の折曲ライン１５で折曲して表側面１Ｘを構成する第１面４ａと裏側面１Ｙを構成する第２面４ｂとを互いに積層する構造としている。第１面４ａと第２面４ｂは、対向する位置に開口窓５を開口しており、互いに積層する状態で、開口窓５が一致するようにしている。さらに、図に示す紙製シート４も、積層される第１面４ａと第２面４ｂの間に開口窓５よりも大きな透明シート６を貼付している。
【００４５】
紙製シート４は、折曲ライン１５で２つ折りされると共に、互いに積層される第１面４ａと第２面４ｂが貼付されて、２面の間に透明シート６が配置されている。この構造の保護シート１は、１枚の紙製シート４を２つ折りにして、積層される２面の間に透明シート６を配置するので、互いに積層される第１面４ａと第２面４ｂとを位置ずれすることなく、正確な位置で積層できる。この紙製シート４は、表側面１Ｘと裏側面１Ｙを構成する面を平滑な面として外観を綺麗にできる。
【００４６】
（実施の形態３）
さらに、図８に示す手形コピー用台紙３００は、保護シート１を１枚の紙製シート４として、中央部に円形の開口窓５を開口している。この保護シート１は、裏側面１Ｙにおいて、開口窓５に透明シート６を貼付して透明領域３を形成し、この開口窓５以外の領域を不透明領域２としている。図の保護シート１は、左右の２辺の中間に位置する中心線ｍ上に、円形の開口窓５の中心を一致させて配置している。この保護シート１は、円形の透明領域３を中心線ｍに沿って形成している。さらに、図８に示す保護シート１は、裏側面１Ｙに紙製シートを積層していない。この保護シートは、１枚の紙製シート４と透明シート６を使用して、最も簡単な構造で、透明領域３と不透明領域４とを形成できる。
【００４７】
（実施の形態４）
さらに、図９と図１０に示す手形コピー用台紙４００は、保護シート１を透明な樹脂製シート７としている。図に示す保護シート１は、２つ折りされた１枚の樹脂製シート７としており、積層される２面の間に不透明シート８を配置している。図１０の樹脂製シート７は、保護シート１を左右に展開してなる外形であって、保護シート１の外形のおよそ２倍の外形を有している。この樹脂製シート７は、中間の折曲ライン１６で折曲して表側面１Ｘを構成する第１面７ａと裏側面１Ｙを構成する第２面７ｂとを互いに積層する構造としている。第１面７ａと第２面７ｂは、間に不透明シート８を介在させる状態で互いに積層されると共に、互いに積層された状態で熱シールして、樹脂製シート７の内部に不透明シート８を配置している。
【００４８】
不透明シート８には、紙製シート４が使用できる。図に示す不透明シート８は、樹脂製シート７の第１面７ａと第２面７ｂの間に積層された状態で透明領域３と不透明領域２とを形成するために、紙製シート４の外形を保護シート１の外形とほぼ等しくすると共に、中央部には、透明領域３を形成する開口部９を設けている。図に示す開口部９は円形としている。この保護シート１は、不透明シート８である紙製シート４に開口された開口部と対向する領域を透明領域３とし、紙製シート４と対向する領域を不透明領域２としている。
【００４９】
以上の手形コピー用台紙４００は、樹脂製シート７の内部に不透明シート８を配置して不透明領域２を形成するので、不透明シート８の材質に関わらず、不透明シート８の両面を樹脂製シート７で被覆して、優れた耐水性を実現できる。したがって、この手形コピー用台紙４００は、表側面や裏側面が汗や脂で汚れても、付着した汚れを簡単に拭き取って綺麗にでき、あるいは、水洗いすることもできる。また、使用する前後において、保護シートの両面をアルコール消毒して、安全且つ清潔に使用することができる。
【００５０】
（実施の形態５）
さらに、図１１に示す手形コピー用台紙５００は、保護シート１を所定の厚さを有する透明な樹脂製シート７とし、この樹脂製シート７の裏側面１Ｙに不透明シート８を貼付して不透明領域２を形成している。図に示す不透明シート８には、紙製シート４が使用できる。ただ、不透明シートには、着色された樹脂製のシート材を使用することもできる。図に示す不透明シート８は、樹脂製シート７に貼付された状態で透明領域３と不透明領域２とを形成するために、紙製シート４の外形を樹脂製シート７の外形とほぼ等しくすると共に、中央部には、透明領域３を形成する開口部９を設けている。図に示す開口部９は矩形状としている。
【００５１】
この紙製シート４は、樹脂製シート７に貼付された状態で、樹脂製シート７を透明領域３と不透明領域２に区画するための部材となるので、強度や厚みを必要としない。この保護シート１は、樹脂製シート７を所定の厚さとすることで、保護シート全体としての強度を保証しつつ、樹脂製シート７の裏側面１Ｙに貼付される紙製シート４により透明領域３と不透明領域２とを形成している。以上の構造は、保護シート１を透明な樹脂製シート７として、この樹脂製シート７に不透明シート８を貼付することで不透明領域２を簡単に形成できる。
【００５２】
図１１に示す保護シート１は、樹脂製シート７の裏側面１Ｙに紙製シート３を貼付している。この構造の保護シート１は、不透明シート７の表側面を樹脂製シート７で被覆するので、貼付前に不透明シート８の表側面に印刷された内容を樹脂製シート７で保護できる特徴がある。ただ、保護シート１は、図示しないが、樹脂製シートの表側面に不透明シートを貼付する構造とすることもできる。この構造の保護シートは、複写面となる不透明シートの表側面を露出面とするので、不透明シートの貼付後においても、表側面に印字や記載が可能となる。
【００５３】
さらに、保護シートは、樹脂製シートの両側面に不透明シートを貼付することもできる。この保護シートは、両面に貼付される不透明シートの対向する位置に透明領域を形成するように開口部を設けて、対向して貼付される領域を不透明領域とする。
【００５４】
（実施形態６）
さらに、図１２に示す手形コピー用台紙６００は、保護シート１を不透明領域２と透明領域３とに分割している。図に示す保護シート１は、矩形状の保護シート１の上下の中間部で２分割して、上部の領域を不透明領域２として、下部の領域を透明領域３としている。この手形コピー用台紙６００は、保護シート１全体を透光性を有する樹脂製シート７で構成すると共に、特定の部分である透明領域３を除く領域には着色して不透明領域２としている。樹脂製シート７は、所定の領域を着色して不透明領域２とすることができる。樹脂製シート７は、透光性のない塗料を塗布して不透明領域２を形成することができる。また、塗料が塗布されない、言い換えると着色されない領域を透明領域３としている。
【００５５】
保護シート１は、たとえば、樹脂製シート７の裏側面に塗料を塗布して着色することができる。ただ、保護シート１は、樹脂製シート７を部分的に有色の樹脂で成形して着色された不透明領域２とすることもできる。さらに、樹脂製シート７からなる保護シート１は、不透明領域２の表側面に、氏名、誕生日、記録日、年齢等を記入する記入欄１１と、寸法を付したメジャー表記１２をプリント等により表示している。
【００５６】
図１２に示す手形コピー用台紙６００は、保護シートを２分割して不透明領域２と不透明領域３とを形成するので、透明領域３を広くして大きな手形や複数の手形であっても確実に取ることができる。ここで、図１３は、図１２に示す手形コピー用台紙６００を使用して複写した手形シート２０の一例を示している。図１３に示すように、手形シート２０は、保護シート１の約半面を透明領域３とすることで、乳幼児の両手の手形を同時に複写することも可能である。
【００５７】
以上の乳幼児の手形コピー用台紙１００は、図５に示すように、以下の手順で手形を読み取る。
（１）コピー機３０の読み取り面となるガラス面３１に、手形コピー用台紙１００をセットする。手形コピー用台紙１００は、複写面となる表側面１Ｘが下向きとなる姿勢でセットする。
（２）コピー機３０の用紙設定や濃度設定を調整する。このとき、手形の複写に適した設定や操作の手順等を、手形コピー用台紙１００の裏側面１Ｙの表示部１４に説明書きとして記載しておくと、便利に使用できる。
（３）手形コピー用台紙１００の透明領域３に、複写の対象物となる乳幼児の手４０を所定の姿勢で載せる。
（４）コピー機３０のスタートボタンを操作して乳幼児の手形４１を所定の用紙に複写してプリントアウトする。
【００５８】
以上のようにしてプリントされた手形シート２０の一例を図６に示す。この図に示すように、透明領域３に置いた手は、コピー機３０で複写される。また、手形コピー用台紙１００の表面には、乳幼児の個人データとなる、氏名、誕生日、記録日、年齢等を記載する記入欄１１が設けてあるので、プリントされた手形シート２０の記入欄２１に、記録した日時等を随時記載することができる。なお、この手形コピー用台紙１００を特定の子供に使用する場合には、予め氏名や誕生日を記入欄１１に記載しておいても良い。この場合、コピー機３０で複写する毎に、手形シート２０の記入欄２１に記載する手間を省略できる。
【００５９】
また、手形をコピーする工程においては、図５の鎖線で示すように、対象物となる乳幼児の手の周囲をハンカチやタオル等の布材３５で覆うこともできる。このようにして、手４０の周囲を布地３５で覆うことにより、コピー機３０の読み取りの際に、透明領域３からの光が漏れるのを防止して、この部分が黒くプリントされるのを有効に防止することができる。
【００６０】
なお、本発明の乳幼児の手形コピー用台紙は、主として、乳幼児の手形をコピー機で複写し、または、スキャナーで読み取るための台紙であるが、この台紙を使用して、赤ちゃんの足形を取ることもできるのは言うまでもない。
【産業上の利用可能性】
【００６１】
本発明の乳幼児手形コピー用台紙及び乳幼児の手形複写方法は、衛生的で簡単に手形を取ることのできるので、乳幼児の手形をコピー機で複写するのに好適に採用できる。
【符号の説明】
【００６２】
１００、２００、３００、４００、５００、６００…乳幼児手形コピー用台紙
１…保護シート
１Ｘ…表側面
１Ｙ…裏側面
２…不透明領域
３…透明領域
４…紙製シート
４Ａ…第１の紙製シート
４Ｂ…第２の紙製シート
４ａ…第１面
４ｂ…第２面
５…開口窓
６…透明シート
７…樹脂製シート
７ａ…第１面
７ｂ…第２面
８…不透明シート
９…開口部
１１…記入欄
１２…メジャー表記
１３…センターマーク
１４…表示部
１５…折曲ライン
１６…折曲ライン
２０…手形シート
２１…記入欄
２２…メジャー表記
２３…センターマーク
２４…パンチ穴
２５…手形表示部
２６…余白
３０…コピー機
３１…ガラス面
３５…布材
４０…手
４１…手形
ｍ…中心線
【図１】
2016221908.tif 000003
【図２】
2016221908.tif 000004
【図３】
2016221908.tif 000005
【図４】
2016221908.tif 000006
【図５】
2016221908.tif 000007
【図７】
2016221908.tif 000008
【図８】
2016221908.tif 000009
【図９】
2016221908.tif 000010
【図１０】
2016221908.tif 000011
【図１１】
2016221908.tif 000012
【図１３】
2016221908.tif 000013
【図６】
2016221908.tif 000014
【図１２】
2016221908.tif 000015